(57)【要約】【課題】スクリーン等の遮蔽材がガイドレールから抜けた場合に、簡単且つ迅速に復帰させることができるガイドレールを備えた日射遮蔽装置を提供する。【解決手段】日射遮蔽装置としてのロールスクリーン１は、スクリーン２と、遮蔽機構３と、スクリーン２の外縁部２Ａを保持するガイドレール４とを備える。ガイドレール４は、前側ガイド壁４１と、後側ガイド壁４２と、スクリーン２の外縁部２Ａが入り込んだガイド通路４０とを有する。上キャップ６がこのガイドレール４の上端部に取り付けられている。上キャップ６は、外れたスクリーン２をガイド通路４０内に誘導するための部材であり、前側誘導壁６１と後側誘導壁６２と誘導溝６３とを備える。誘導溝６３は前側誘導壁６１と後側誘導壁６２との間の間隙で成り、ガイドレール４のガイド通路４０に連通している。【選択図】図５
2015169027.tif 000002
【特許請求の範囲】
【請求項１】
遮蔽材と、この遮蔽材を引き出し及び引き戻し可能な遮蔽機構と、先端部をこの遮蔽機構の側端部に向けた状態で配設され且つ遮蔽材の一方側に位置する第１ガイド壁と遮蔽材の他方側に位置する第２ガイド壁とこれら第１ガイド壁と第２ガイド壁との間の間隙で成るガイド通路とを有するガイドレールとを備え、上記遮蔽材の外縁部がこのガイドレールのガイド通路内に入り込んだ日射遮蔽装置であって、
上記ガイドレールの上記遮蔽機構側の端部に、上記第２ガイド壁から上記遮蔽機構の方向に延出する第２誘導壁と、上記第１ガイド壁から上記第２誘導壁と同方向に延出する第１誘導壁と、これら第１誘導壁と第２誘導壁との間の間隙で成り且つ上記ガイド通路に連通する誘導溝とを有した誘導部を設け、上記第１誘導壁と第２誘導壁とのいずれか一方を他方よりも長く設定して、上記遮蔽材が上記一方側又は他方側へ移動することを阻止する、
ことを特徴とする日射遮蔽装置。
【請求項２】
請求項１に記載の日射遮蔽装置において、
上記ガイドレールに設けられた誘導部の第１誘導壁の一面及びこの一面と対向する第２誘導壁の一面の少なくとも一方の面に、上記誘導溝を先端側から上記ガイド通路側に向かって狭くするように傾斜する傾斜面を設けた、
ことを特徴とする日射遮蔽装置。
【請求項３】
請求項１又は請求項２に記載の日射遮蔽装置において、
上記ガイドレールに設けられた誘導部の第１誘導壁を、上記第１ガイド壁の端部に取り付ける第１キャップで形成し、
上記誘導部の第２誘導壁を、上記第２ガイド壁の端部に取り付ける第２キャップで形成した、
ことを特徴とする日射遮蔽装置。
【請求項４】
請求項１又は請求項２に記載の日射遮蔽装置において、
上記ガイドレールに設けられた誘導部の第１誘導壁を、上記第１ガイド壁の端部で形成し、
上記誘導部の第２誘導壁を、上記第２ガイド壁の端部で形成した、
ことを特徴とする日射遮蔽装置。
【請求項５】
請求項１ないし請求項４のいずれかに記載の日射遮蔽装置において、
上記ガイドレールの誘導部の先端が、遮蔽機構に引き戻された遮蔽材に接しない位置にあるように、上記誘導部又はガイドレールのいずれか一方又は双方の長さを設定することにより、ガイドレールと遮蔽材との干渉を防止する、
ことを特徴とする日射遮蔽装置。
【発明の詳細な説明】
【技術分野】
【０００１】
この発明は、スクリーン等の遮蔽材の移動を案内するガイドレールを備えた日射遮蔽装置に関するものである。
【背景技術】
【０００２】
従来、この種の日射遮蔽装置としては、例えば、特許文献１〜３に開示されているようなロールスクリーンがある。
このようなロールスクリーンでは、巻取軸に巻取られた遮蔽材としてのスクリーンが引出操作によって下降し、また、巻取軸から引き出されたスクリーンが巻取操作によって上昇する。
そして、１対のガイドレールがスクリーンの両側に立設されており、巻取軸から引き出されたスクリーンの外縁部が、これらガイドレールの内側に入り込んでいる。
これにより、スクリーンが下降及び上昇するときに、スクリーンの外縁部がガイドレールに沿って動き、スクリーンが昇降方向に沿って案内される。
【先行技術文献】
【特許文献】
【０００３】
【特許文献１】実特昭５９−１７７６９９号公報
【特許文献２】特開昭６２−１４１２９０号公報
【特許文献３】特開平１−０６１１５８号公報
【発明の概要】
【発明が解決しようとする課題】
【０００４】
しかし、上記した従来の日射遮蔽装置では、次のような問題がある。
ロールスクリーン等の日射遮蔽装置の中には、遮蔽材であるスクリーンの外縁部をガイドレール内で挟持する抜止機構を備え、スクリーンの外縁部が、風の力やスクリーン前後の気圧差等によって、ガイドレールから外れないようにした装置がある。
この抜止機構は、大きな外力がスクリーンに作用した場合には、スクリーンの破損を防止するために、スクリーンの外縁部に対する挟持力を解放して、スクリーンがガイドレールから抜けるようになっている。
したがって、誤って、大きな外力をスクリーンに加えた場合には、スクリーンはガイドレールから抜けてしまう。
しかし、スクリーンがガイドレールから一度抜けると、ガイドレールに復帰させることは容易ではない。特に、上記のような抜止機構等の機構をガイドレール内に装備しているガイドレールでは、ガイドレール自体を、工具を用いて、窓枠から外した後、ガイドレールを分解する等の作業しなければ、スクリーンを復帰することができず、復帰作業に手間と時間とを要してしまう。
このような問題は、縦型のロールスクリーンだけでなく、プリーツスクリーン、ブラインド装置であっても同様に生じる問題であって、所定の位置に保持されるべき遮蔽材を備える日射遮蔽装置において共通する問題であった。
【０００５】
この発明は、上述した課題を解決するためになされたもので、遮蔽材がガイドレールから抜けた場合に、簡単且つ迅速に復帰させることができるガイドレールを備えた日射遮蔽装置を提供することを目的とする。
【課題を解決するための手段】
【０００６】
上記課題を解決するために、請求項１の発明は、遮蔽材と、この遮蔽材を引き出し及び引き戻し可能な遮蔽機構と、先端部をこの遮蔽機構の側端部に向けた状態で配設され且つ遮蔽材の一方側に位置する第１ガイド壁と遮蔽材の他方側に位置する第２ガイド壁とこれら第１ガイド壁と第２ガイド壁との間の間隙で成るガイド通路とを有するガイドレールとを備え、遮蔽材の外縁部がこのガイドレールのガイド通路内に入り込んだ日射遮蔽装置であって、ガイドレールの遮蔽機構側の端部に、第２ガイド壁から遮蔽機構の方向に延出する第２誘導壁と、第１ガイド壁から第２誘導壁と同方向に延出する第１誘導壁と、これら第１誘導壁と第２誘導壁との間の間隙で成り且つガイド通路に連通する誘導溝とを有した誘導部を設け、第１誘導壁と第２誘導壁とのいずれか一方を他方よりも長く設定して、遮蔽材が一方側又は他方側へ移動することを阻止する構成とした。
かかる構成により、遮蔽機構によって、遮蔽材を引き出し及び引き戻しさせることができ、かかる引き出し及び引き戻しの操作中においては、ガイド通路内に入り込んだ遮蔽材の外縁部が、ガイドレールによって外れないように保持される。
しかし、予期しない外力が遮蔽材に加わり、外縁部の一部がガイドレールから抜けることがある。かかる場合に、した従来の日射遮蔽装置では、抜けた外縁部の一部を簡単にガイドレールのガイド通路に戻すことができない。
しかしながら、この発明の日射遮蔽装置では、誘導部を備えているため、ガイドレールから抜けた遮蔽材を容易に復帰させることができる。
すなわち、遮蔽材の外縁部がガイドレールのガイド通路から抜けた場合には、遮蔽材全体をガイドレールから押し出して外し、遮蔽材の外縁部を、第２ガイド壁の他方側に位置させる。
かかる状態で、遮蔽材を、遮蔽機構によって引き戻すと、遮光材は、ガイドレールの第２ガイド壁に沿って移動する。そして、遮蔽材の外縁部が、誘導部に至り、第２誘導壁を接触状態で移動すると、最終的に、第２誘導壁の先端から外れる。すると、外縁部に対する第２誘導壁の規制が解除され、外縁部を含む遮蔽材全体が、一方側又は他方側へ移動する。
このとき、第１誘導壁と第２誘導壁のいずれか一方が、他方よりも長く設定されているので、移動する遮蔽材の外縁部が、長い方の誘導壁に当たり、遮蔽材の一方側又は他方側への移動がこの誘導壁によって阻止される。
かかる状態で、遮蔽材をさらに引き戻していくと、遮蔽材は一方側又は他方側に移動することなく、遮蔽機構に静かに戻って静止する。
そして、遮蔽材を遮蔽機構に戻った位置から引き出していくと、遮蔽材の先端側が一方側又は他方側に移動するが、この際も、遮蔽材の先端部が長い方の誘導壁に当たり、遮蔽材の一方側又は他方側への移動がこの誘導壁によって阻止される。
そのまま遮蔽材を引き出していくことで、遮蔽材先端の外縁部が誘導部の誘導溝内に入り込む。そして、この外縁部が、誘導溝によってガイド通路内に誘導される。
かかる状態で、遮蔽材をさらに引き出していくことで、遮蔽材の外縁部のほぼ全体がガイドレールのガイド通路内に入り込み、完全に復帰した状態になる。
【０００７】
請求項２の発明は、請求項１に記載の日射遮蔽装置において、ガイドレールに設けられた誘導部の第１誘導壁の一面及びこの一面と対向する第２誘導壁の一面の少なくとも一方の面に、誘導溝を先端側からガイド通路側に向かって狭くするように傾斜する傾斜面を設けた構成とする。
かかる構成により、引き出された遮蔽材の外縁部は、誘導部の広い開口から容易に誘導溝内に入り、この誘導溝の傾斜面に誘導されて、ガイド通路内に確実に入り込む。
【０００８】
請求項３の発明は、請求項１又は請求項２に記載の日射遮蔽装置において、ガイドレールに設けられた誘導部の第１誘導壁を、第１ガイド壁の端部に取り付ける第１キャップで形成し、誘導部の第２誘導壁を、第２ガイド壁の端部に取り付ける第２キャップで形成した構成とする。
【０００９】
請求項４の発明は、請求項１又は請求項２に記載の日射遮蔽装置において、ガイドレールに設けられた誘導部の第１誘導壁を、第１ガイド壁の端部で形成し、誘導部の第２誘導壁を、第２ガイド壁の端部で形成した構成とする。
【００１０】
請求項５の発明は、請求項１ないし請求項４のいずれかに記載の日射遮蔽装置において、ガイドレールの誘導部の先端が、遮蔽機構に引き戻された遮蔽材に接しない位置にあるように、誘導部又はガイドレールのいずれか一方又は双方の長さを設定することにより、ガイドレールと遮蔽材との干渉を防止する構成とした。
【発明の効果】
【００１１】
以上詳しく説明したように、この発明の日射遮蔽装置によれば、遮蔽材がガイドレールから抜けた場合に、遮蔽材をガイドレールの外方に外した後、遮蔽機構によって、遮蔽材を引き戻し及び引き出すという操作をするだけで、遮蔽材を簡単且つ迅速にガイドレールに復帰させることができるという優れた効果がある。
【００１２】
特に、請求項２の発明によれば、外れた遮蔽材を、誘導部の傾斜面によって確実に復帰させることができるという効果がある。
【００１３】
さらに、請求項５の発明によれば、誘導部や遮蔽材との干渉を防止することができるので、誘導部や遮蔽材の破損を防ぎ、装置の長寿命化を図ることができる効果がある。
【図面の簡単な説明】
【００１４】
【図１】この発明の第１実施例に係る日射遮蔽装置を示す分解斜視図である。
【図２】図１に示す日射遮蔽装置の正面図である。
【図３】図２の矢視Ａ−Ａ断面図である。
【図４】上キャップの斜視図である。
【図５】図２の矢視Ｂ−Ｂ断面図である。
【図６】スクリーンがガイドレールの後側に押し出された状態における図２の矢視Ｂ−Ｂ断面図である。
【図７】スクリーンがガイドレールの後側に押し出された状態を示す断面図である。
【図８】スクリーンが上キャップまで上昇した状態における図２の矢視Ｃ−Ｃ断面図である。
【図９】スクリーンの振り子運動を説明するための部分断面図である。
【図１０】スクリーンの振り子運動阻止作用を説明するための部分断面図である。
【図１１】スクリーンを上キャップを越えて上昇させていく状態を示す部分断面図である。
【図１２】スクリーンを最上位迄上昇させた状態を示す部分断面図である。
【図１３】スクリーンの外縁部が上キャップの誘導溝内に入り込む状態を示す部分断面図である。
【図１４】スクリーンの外縁部がガイドレールのガイド通路内に入り込む状態を示す部分断面図である。
【図１５】この発明の第２実施例に係るロールスクリーンの要部を示す斜視図である。
【発明を実施するための形態】
【００１５】
以下、この発明の最良の形態について図面を参照して説明する。
【００１６】
（実施例１）
図１は、この発明の第１実施例に係る日射遮蔽装置を示す分解斜視図であり、図２は、図１に示す日射遮蔽装置の正面図である。
【００１７】
図１及び図２に示すように、この実施例の日射遮蔽装置は、ロールスクリーン１であり、図示しない窓枠等に組み付けることができる。なお、図２において、図の表面側がロールスクリーン１の前側であり、室の窓枠等に組み付けられる場合には、この前側が室内側に向けられる。そして、図の裏面側がロールスクリーン１の後側であり、室外側に向けられる。
このロールスクリーン１は、図１に示すように、遮蔽材としてのスクリーン２と遮蔽機構３と左右のガイドレール４，４とを備えている。
【００１８】
スクリーン２は、窓枠等の外から室内に入り込む日射光を遮光するための矩形形状の生地である。このスクリーン２は、遮蔽機構３の巻取軸３０に巻き付けられており、ウェイトバー２０が、巻取軸３０から垂れ下がったスクリーン２の下端部に取り付けられている。
【００１９】
遮蔽機構３は、上記スクリーン２を、引き出し及び引き戻し、すなわち引き下げ及び引き上げるための機構である。
具体的には、公知の回転機構３２が、巻取軸３０の右端部に組み付けられ、この巻取軸３０が、取付フレーム３３に回転自在に取り付けられている。そして、取付フレーム３３が、ブラケット３４，３４を介してベースフレーム３５に組み付けられている。
ベースフレーム３５は、窓枠等の上枠１００（図５参照）に固定するための部材であり、ベースフレーム３５をビス３５ａで上枠１００に固定した後、遮蔽機構３のチェーン３１を操作することにより、回転機構３２を介して巻取軸３０を回転させることができる。この巻取軸３０を正回転又は逆回転させることにより、スクリーン２を巻き上げ又は巻き戻して、スクリーン２を昇降させることができる。
【００２０】
左右のガイドレール４，４は、スクリーン２の両外縁部２Ａ，２Ａを保持して、スクリーン２を昇降方向に案内する長尺状の部材である。
これらガイドレール４，４は、先端部である上端部を遮蔽機構３の側端部側に向けた状態で、遮蔽機構３の左端部及び右端部の下方にそれぞれ立設されており、下キャップ５，誘導部としての上キャップ６が、各ガイドレール４の下端部，遮蔽機構３側の上端部にそれぞれ取り付けられている。
【００２１】
図３は、図２の矢視Ａ−Ａ断面図であり、ガイドレール４の構造を示す。
各ガイドレール４は、ガイドレール本体４Ａとレールベース４Ｂとを有している。レールベース４Ｂは、図３に示すように、窓枠等の縦枠１０１に固定され、ガイドレール本体４Ａは、レールベース４Ｂに組み付けられる構造になっている。
各ガイドレール４において、符号４１が、第１ガイド壁としての前側ガイド壁であり、この前側ガイド壁４１がスクリーン２の一方側としての前側に位置する。そして、符号４２が、第２ガイド壁としての後側ガイド壁であり、この後側ガイド壁４２がスクリーン２の他方側としての後側に位置する。
これら前側ガイド壁４１と後側ガイド壁４２との間隙が、スクリーン２の左右両側の外縁部２Ａを保持するためのガイド通路４０を形成している。
つまり、図２及び図３に示すように、スクリーン２の両外縁部２Ａ，２Ａを、ガイドレール４のガイド通路４０内に収納することで、スクリーン２の昇降の際に、ガイドレール４がスクリーン２の垂直な上下動を維持する。
なお、図３において、符号４５は、抜止機構であり、抜止機構４５のパッキン４６，４６が側部ガイド壁４４に前後方向に回転自在に取り付けられている。これにより、スクリーン２の外縁部２Ａが、歯部４６ｂ，４６ｂの噛み合いによって挟持される。
抜止機構４５を簡単に説明すると、通常は、外縁部２Ａが、歯部４６ｂ，４６ｂの弱い噛み合いによって挟持されているが、風力や気圧差等によって、スクリーン２に対して前又は後方向に張力が加わると、パッキン４６，４６の湾曲部４６ａ，４６ａと歯部４６ｂ，４６ｂとが一体に回転して、歯部４６ｂ，４６ｂの外縁部２Ａに対する噛み合い強度が増大し、外縁部２Ａを通常よりも強く挟持する。これにより、スクリーン２のガイドレール４からの抜けを防止する。また、歯部４６ｂ，４６ｂによる挟持力は、スクリーン２が、手で押すなどの強い外力で前後方向に引っ張られ又は押されると、スクリーン２がガイドレール４から外れるような大きさに設定されている。
【００２２】
このようなガイドレール４の下端部に取り付けられた下キャップ５は、ウェイトバー２０とガイドレール４との間の隙間を遮光するための部材であり、窓枠等の下枠１０２に固定される（図５参照）。下キャップ５は、図２に示すように、ガイドレール４のガイドレール本体４Ａを載置固定するための載置部５０と、ウェイトバー２０の端部とガイドレール４のとの間の前後に配置される１対の遮光部５１，５１により構成されており、これら載置部５０と１対の遮光部５１，５１とが合成樹脂により一体成形されている。
【００２３】
一方、ガイドレール４の上端部に取り付けられた上キャップ６は、外れたスクリーン２をガイドレール４のガイド通路４０内に誘導するための合成樹脂製の部材であり、ガイドレール４の上部を成す。
図４は、上キャップ６の斜視図である。また、図５は、図２の矢視Ｂ−Ｂ断面図であり、上キャップ６の取付状態を示す。
【００２４】
図４に示すように、上キャップ６は、第１誘導壁としての前側誘導壁６１と第２誘導壁としての後側誘導壁６２と誘導溝６３と規制壁６４とを備え、合成樹脂により一体成形されている。
前側誘導壁６１は、スクリーン２の前側又は後側への移動の運動、例えば振り子運動を阻止するための高さＨ１の第１キャップである。この前側誘導壁６１の前面６１ａは、矩形形状をなし、その幅Ｗは、ガイドレール４のガイドレール本体４Ａの前面幅（図２の左右幅）とほぼ同値に設定され、下端厚Ｔは、ガイドレール本体４Ａの厚さのほぼ半値に設定されている。この前側遮光部６１の高さＨ１は、後側誘導壁６２の高さＨ２よりも高く設定されている。具体的には、前側誘導壁６１の高さＨ１は、後述する規制壁６４の高さに近い値に設定され、後側遮蔽部６２の高さＨ２は、規制壁６４よりも低く設定されている。
この後側誘導壁６２は、前側誘導壁６１の後に隠れるように立設された第２キャップであり、その幅は、前側誘導壁６１の幅Ｗと等しく設定され、その下端厚も前側誘導壁６１の下端厚Ｔと等しく設定されている。
誘導溝６３は、これら対向する前側誘導壁６１と後側誘導壁６２との間の間隙で成る。
具体的には、誘導溝６３は、前側誘導壁６１の一面である後面６１ｂとこれと対向する後側誘導壁６２の一面である前面６２ａとで画成されている。これら後面６１ｂと前面６２ａには、下方中央部に向かって傾斜する傾斜面６１ｃ，６２ｃがそれぞれ設けられ、誘導溝６３が上から下に向かって狭くなっている。
なお、この実施例では、前側誘導壁６１の後面６１ｂと後側誘導壁６２の前面６２ａ双方にそれぞれ、傾斜面６１ｃ，６２ｃを設けた例を示したが、前側誘導壁６１の後面６１ｂ又は後側誘導壁６２の前面６２ａのいずれか一方に傾斜面を設けることができることは勿論である。いずれか一方に傾斜面を設けることで、誘導溝６３を上から下に向かって狭くするという目的を達成することができる。
また、規制壁６４は、スクリーン２の破損を防止するための壁体である。規制壁６４は、後側誘導壁６２の真上に設けられており、その前面６４ａを前側誘導壁６１方向に突出させている。
また、符号６０は、ガイドレール４のレールベース４Ｂの上部に挿入するためのベース挿入壁である。
【００２５】
上記のような構造の上キャップ６は、図５に示すように、ガイドレール４の上端に固定されている。
具体的には、第１キャップである前側誘導壁６１が、ガイドレール本体４Ａの上端前側に配置され、図示しないビスが、前側誘導壁６１の後面６１ｂ側で開口するビス孔６１ｄ，６１ｄ（図４参照）とガイドレール本体４Ａのビス孔４８，４８（図３参照）とに螺入されている。これにより、前側誘導壁６１は、ガイドレール本体４Ａの上端前側に固定され、上端前側から上方に延出した状態になっている。
また、第２キャップである後側誘導壁６２が、ガイドレール本体４Ａの上端後側に配置され、図示しないビスが、後側誘導壁６２の後面６２ｂ側で開口するビス孔６２ｄ，６２ｄ（図４参照）とガイドレール本体４Ａのビス孔４９，４９（図３参照）とに螺入されている。これにより、後側誘導壁６２が、ガイドレール本体４Ａの上端後側に固定され、上端後側から上方に延出した状態になっている。
このように、前側誘導壁６１と後側誘導壁６２とが、ガイドレール本体４Ａの上端に取り付けられることで、前側誘導壁６１と後側誘導壁６２との間の誘導溝６３が、ガイドレール本体４Ａのガイド通路４０と連通している。
また、ベース挿入壁６０は、レールベース４Ｂの上部内に挿入され、図示しないビスなどにより、レールベース４Ｂの上部に固定されている。
なお、上キャップ６の上端、すなわち前側誘導壁６１の上端の位置は、最上位に引き上げられたスクリーン２の下端よりも低くなるように、すなわち、上キャップ６の上端がスクリーン２の下端に接しないように、上キャップ６の高さやガイドレール４の長さが設定されている。これにより、上キャップ６とスクリーン２との干渉を防止している。
【００２６】
次に、この実施例のロールスクリーン１が示す作用及び効果について説明する。
図５に示すロールスクリーン１の状態が、窓枠等の上枠１００、両縦枠１０１，１０１（図３参照）及び下枠１０２に組み付けた後、スクリーン２を完全に下降させて、閉じた状態である。このような状態で、遮蔽機構３のチェーン３１を操作して、回転機構３２の巻取軸３０を正回転（図５において時計回り）させると、両側の外縁部２Ａ，２Ａがガイドレール４のガイド通路４０内に保持された状態で、スクリーン２が、上昇する。そして、チェーン３１を操作して、巻取軸３０を逆回転させると、両側の外縁部２Ａ，２Ａがガイドレール４のガイド通路４０内に保持された状態で、スクリーン２が下降する。
このような操作中に、風力やスクリーン２の前後（図５の右側が前側であり、左側が後側）の気圧差が生じても、スクリーン２の外縁部２Ａは、図３に示したように、抜止機構４５によって挟持されているので、ガイドレール４から抜けることはない。
【００２７】
しかし、予期しない大きな外力がスクリーン２に加わり、外縁部２Ａの一部が、抜止機構４５の挟持力に抗して、ガイドレール４のガイド通路４０から抜けることがある。
かかる場合には、次のような操作を行うことで、外れたスクリーン２をガイドレール４のガイド通路４０に復帰させることができる。
【００２８】
図６は、スクリーン２がガイドレール４の後側に押し出された状態における図２の矢視Ｂ−Ｂ断面図であり、図７は、スクリーン２がガイドレール４の後側に押し出された状態を示す断面図である。
すなわち、図６に示すように、先ず、スクリーン２全体をガイドレール４の後方に押し出して、ガイドレール４から外し、スクリーン２の外縁部２Ａを、後側ガイド壁４２の後面側に位置させる。
そして、 チェーン３１を操作して、巻取軸３０を正回転させて、ガイドレール４の後側に位置するスクリーン２を上昇させる。
【００２９】
図８は、スクリーン２が上キャップ６まで上昇した状態における矢視Ｃ−Ｃ断面図であり、図９は、スクリーン２の振り子運動を説明するための部分断面図であり、図１０は、スクリーン２の振り子運動阻止作用を説明するための部分断面図である。
スクリーン２を上昇させていくと、図８に示すように、外縁部２Ａの下端部が上キャップ６に至り、外縁部２Ａが、後面６２ｂに接触した状態で、後側誘導壁６２を上っていく。
ところで、スクリーン２を巻き上げていくと、スクリーン２の巻取径が大きくなり、スクリーン２が金属製の取付フレーム３３に近づいていき、接触して破損するおそれがある。しかし、この実施例では、前面６４ａを前側誘導壁６１方向に突出させた規制壁６４を設けているので、スクリーン２が取付フレーム３３側に近づいていくと、規制壁６４の前面６４ａに当接する。このため、スクリーン２の取付フレーム３３側へのさらなる移動が規制壁６４によって阻止され、スクリーン２の破損が防止される。
そして、スクリーン２を、さらに上昇させていくと、図９に示すように、外縁部２Ａの下端部が、後側誘導壁６２の上端から外れる。すると、外縁部２Ａに対する後側誘導壁６２の規制が解除され、外縁部２Ａを含むスクリーン２全体が、図９の矢印で示すように、振り子のように前方に振れる。
このとき、前側誘導壁６１の高さが、後側誘導壁６２と同等以下に設定されていると、スクリーン２が振り子運動を始めて、非常に不安定な状態になる。
しかし、この実施例では、前側誘導壁６１の高さＨ１が、後側誘導壁６２の高さＨ２よりも高く設定されている（図４参照）。このため、図１０に示すように、振られたスクリーン２の外縁部２Ａの下端部が、前側誘導壁６１の後面６１ｂに当たり、スクリーン２の振り子運動が前側誘導壁６１によって阻止されることとなる。
【００３０】
図１１は、スクリーン２を上キャップ６を越えて上昇させていく状態を示す部分断面図であり、図１２は、スクリーン２を最上位迄上昇させた状態を示す部分断面図である。
図１０に示した状態において、巻取軸３０を逆回転させて、スクリーン２を下降させて、外縁部２Ａを上キャップ６の誘導溝６３内に落とし込むことも可能であるが、ユーザは、スクリーン２の外縁部２Ａの下端部が、図１０に示す状態にあるのか、又は、図８に示す状態にあるのかをロールスクリーン１の前側から視認することができない。
このため、図１１に示すように、スクリーン２をさらに上昇させる。このとき、スクリーン２の振り子運動が前側誘導壁６１によって阻止されているため、図１２に示すように、スクリーン２は振り子運動をすることなく、最上位まで静かに引き上がって静止する。
【００３１】
図１３は、スクリーン２の外縁部２Ａが上キャップ６の誘導溝６３内に入り込む状態を示す部分断面図であり、図１４は、スクリーン２の外縁部２Ａがガイドレール４のガイド通路４０内に入り込む状態を示す部分断面図である。
スクリーン２を図１２に示す最上位の状態から、巻取軸３０を逆回転させて、図１３に示すように、スクリーン２を下降させていくと、スクリーン２が振り子のように振れるときがある。この際も、スクリーン２の外縁部２Ａの下端部が上キャップ６の前側誘導壁６１の後面６１ｂに当たるので、スクリーン２は、振り子運動をすることなく下降し、誘導溝６３の広く広がった開口から誘導溝６３内に容易に入り込む。
そして、この外縁部２Ａが、誘導溝６３内の傾斜面６１ｃ又は傾斜面６２ｃのいずれかに誘導されて、ガイドレール４のガイド通路４０側に向かう。
さらにスクリーン２を下降させていくと、図１４に示すように、傾斜面６１ｃ，６２ｃに誘導されて、外縁部２Ａがガイド通路４０内に確実に入り込む。そして、スクリーン２を図５に示した状態まで、完全に下降させることにより、スクリーン２の外縁部２Ａが、ガイド通路４０内に復帰した状態になる。
【００３２】
以上のように、この実施例のロールスクリーン１によれば、スクリーン２がガイドレール４から抜けた場合には、スクリーン２をガイドレール４の外方に外した後、遮蔽機構３のチェーン３１の操作によって、スクリーン２を上昇及び下降させるだけで、スクリーン２をガイドレール４のガイド通路４０内に簡単且つ迅速に復帰させることができる。
【００３３】
（実施例２）
次に、この発明の第２実施例について説明する。
図１５は、この発明の第２実施例に係るロールスクリーン１の要部を示す斜視図である。
【００３４】
この実施例のロールスクリーンは、誘導部が、ガイドレール４の上キャップ６でなく、ガイドレール４自体の上部で形成した点が、上記第１実施例と異なる。
具体的には、図１５に示すように、ガイドレール本体４Ａの前側ガイド壁４１の上端部を折り曲げるなどして、上記前側誘導壁６１と同形及び同寸法の前側誘導壁６１’を形成すると共に、後側ガイド壁４２の上端部を折り曲げるなどして、上記後側誘導壁６２と同形及び同寸法の後側誘導壁６２’を形成した。そして、これら前側誘導壁６１’と後側誘導壁６２’との間隙で、誘導溝６３’を形成した。
その他の構成，作用及び効果は、上記第１実施例と同様であるので、その記載は省略する。
【００３５】
なお、この発明は、上記実施例に限定されるものではなく、発明の要旨の範囲内において種々の変形や変更が可能である。
例えば、上記実施例では、前側遮光部６１を後側遮蔽部６２よりも高く設定した例を示したが、この発明では、前側誘導壁と後側誘導壁とのいずれか一方を他方よりも高く設定してあれば良い。したがって、後側遮蔽部６２を前側遮光部６１よりも高く設定した日射遮蔽装置もこの発明の範囲に含まれる。
【００３６】
また、上記実施例では、ガイドレールとして、ガイドレール本体４Ａとレールベース４Ｂとの２つの部材で構成されるガイドレール４を適用した例を示したが、レールベースを持たず、ガイドレール本体を窓枠等の縦枠に直接固定する構造のガイドレールも、この発明のガイドレールとして適用することができる。
【００３７】
また、上記実施例では、図２及び図３に示したように、遮光材の一方側をスクリーン２の前側とし、遮光材の他方側をスクリーン２の後側とした例について説明したが、日射遮蔽装置であるロールスクリーン１の建築物への取り付けた方によって、遮光材の一方側がスクリーン２の後側、上側又は下側を示し、遮光材の他方側がスクリーン２の前側、下側又は上側を示す場合があることは勿論である。
【００３８】
また、上記実施例では、抜止機構４５を備えたガイドレール４を適用した例を示したが、抜止機構４５を有しないガイドレールも、この発明に適用することができることは勿論である。
【００３９】
さらに、上記実施例では、日射遮蔽装置として、ロールスクリーンを適用した例を示したが、ロールスクリーンだけでなく、プリーツスクリーン、ブラインド装置等にも適用することができる。
【符号の説明】
【００４０】
１…ロールスクリーン、  ２…スクリーン、  ２Ａ…外縁部、  ３…遮蔽機構、  ４…ガイドレール、  ４Ａ…ガイドレール本体、  ４Ｂ…レールベース、  ５…下キャップ、  ６，６’…上キャップ、  ２０…ウェイトバー、  ３０…巻取軸、  ３１…チェーン、  ３２…回転機構、  ３３…取付フレーム、  ３４…ブラケット、  ３５…ベースフレーム、  ４０…ガイド通路、  ４１…前側ガイド壁、  ４２…後側ガイド壁、  ４４…側部ガイド壁、  ４５…抜止機構、  ４６…パッキン、  ５０…載置部、  ５１…遮光部、  ６０…ベース挿入壁、  ６１，６１’…前側誘導壁、  ６１ａ…前面、  ６１ｂ…後面、  ６１ｃ，６２ｃ…傾斜面、  ６２，６２’…後側誘導壁、  ６２ａ…前面、  ６２ｂ…後面、  ６３，６３’…誘導溝、  ６４…規制壁、  ６４ａ…前面、  １００…上枠、  １０１…縦枠、  １０２…下枠。
【図１】
2015169027.tif 000003
【図２】
2015169027.tif 000004
【図３】
2015169027.tif 000005
【図４】
2015169027.tif 000006
【図５】
2015169027.tif 000007
【図６】
2015169027.tif 000008
【図７】
2015169027.tif 000009
【図８】
2015169027.tif 000010
【図９】
2015169027.tif 000011
【図１０】
2015169027.tif 000012
【図１１】
2015169027.tif 000013
【図１２】
2015169027.tif 000014
【図１３】
2015169027.tif 000015
【図１４】
2015169027.tif 000016
【図１５】
2015169027.tif 000017